【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
可動である光学素子を含むレンズ装置に対して着脱可能な操作装置であって、
前記操作装置が前記レンズ装置に取り付けられた状態で、前記光学素子の位置に応じた位置信号を検出する第１の検出手段と、
前記操作装置が前記レンズ装置に対して取り付けられた状態で、前記光学素子が基準位置に位置しているときの位置信号である基準位置信号を記憶する基準記憶手段と、
前記位置信号と前記基準位置信号から前記光学素子の位置を算出する算出手段と、
前記基準位置信号を記憶した後に、該操作装置が前記レンズ装置から取り外されたか否かを判断する判断手段と、
前記操作装置を、前記基準記憶手段によって前記基準位置信号を記憶する調整モードで動作させる場合と、前記基準位置信号を記憶しない通常モードで動作させる場合とを切り替える制御手段と、
を備えており、
前記制御手段は、前記判断手段が前記基準位置信号を記憶した後に前記レンズ装置から取り外されたと判断した場合には、前記操作装置を前記調整モードで動作させ、
前記通常モードで動作するときに、前記算出手段を用いて前記光学素子の位置を算出する、
ことを特徴とする操作装置。
【請求項２】
前記レンズ装置は、前記操作装置が装着されているか否かを判断する装着判断手段と、前記操作装置が装着されていたか否かを示す装着情報を記憶する装着記憶手段と、前記装着記憶手段で記憶した装着情報を前記操作装置に通知する通信手段を有し、
前記判断手段は、前記通信手段から受信する装着情報に基づいて取り外されたかどうかの判断を行う、
ことを特徴とする請求項１に記載の操作装置。
【請求項３】
前記装着判断手段は、前記操作装置と通信が可能か否かで前記操作装置が装着されているか否かを判断することを特徴とする請求項２に記載の操作装置。
【請求項４】
前記レンズ装置は、前記操作装置が装着されると導通する接点部材を備え、
前記装着判断手段は、前記接点部材が導通しているか否かで前記操作装置が装着されているか否かを判断する、
ことを特徴とする請求項２に記載の操作装置。
【請求項５】
前記操作装置は、前記レンズ装置が着脱されるたびに物理量が変化する着脱検出部材と、前記着脱検出部材の物理量を検出する着脱検出手段と、前記基準位置信号を記憶したときの前記着脱検出手段が検出した物理量を記憶する着脱検出記憶手段を有し、前記判断手段は前記着脱検出手段から取得した物理量と、前記着脱検出記憶手段で記憶した物理量が異なる場合には、前記基準位置信号を記憶してからレンズ装置が取り外されたと判断することを特徴とする請求項１に記載の操作装置。
【請求項６】
前記レンズ装置は、前記光学素子の位置を検出する第２の検出手段と、前記第２の検出手段から検出した前記光学素子の位置を前記操作装置へ送信する通信手段を有し、
前記装着判断手段は、前記レンズ装置から受信した前記光学素子の位置と、前記算出手段から算出した前記光学素子の位置との整合性を判断し、整合性がないと判断した場合に、前記基準位置信号を記憶してからレンズ装置から着脱されたと判断する、
ことを特徴とする請求項２に記載の操作装置。
【請求項７】
前記操作装置は、前記光学素子を電動で駆動する電動駆動手段を有し、前記制御手段で調整モードが設定されると、前記光学素子を基準位置に駆動し、そのときの前記第１の検出手段の位置信号を前記基準位置信号として記憶する、ことを特徴とする請求項１乃至５のいずれか１項に記載の操作装置。
【請求項８】
前記操作装置は、調整モードにおいては、ユーザによる所定の操作で前記基準位置信号を記憶ができ、通常モードにおいては、ユーザによる前記所定の操作では前記基準位置信号を記憶できないことを特徴とする請求項１乃至５のいずれか１項に記載の操作装置。
【請求項９】
前記操作装置は、ユーザに警告を表示する表示手段を有し、前記制御手段で調整モードが設定された場合には、前記表示手段に警告を表示することを特徴とする請求項１乃至８のいずれか１項に記載の操作装置。
【請求項１０】
操作装置に対して着脱可能なレンズ装置であって、
可動である光学素子と、
前記レンズ装置が前記操作装置に取り付けられた状態で、前記光学素子の位置に応じた位置信号を検出する第１の検出手段と、
前記レンズ装置が前記操作装置に対して取り付けられた状態で、前記光学素子が基準位置に位置しているときの位置信号である基準位置信号を記憶する基準記憶手段と、
前記基準位置信号を記憶した後に、前記レンズ装置が操作装置から取り外されたか否かを判断する判断手段と、
前記レンズ装置を、前記基準記憶手段によって前記基準位置信号を記憶する調整モードで動作させる場合と、前記基準位置信号を記憶しない通常モードで動作させる場合とを切り替える制御手段と、
を備えており、
前記制御手段は、前記判断手段が前記基準位置信号を記憶した後に前記操作装置が前記レンズ装置から取り外されたと判断した場合には、前記レンズ装置を前記調整モードで動作させる、
ことを特徴とするレンズ装置。
【請求項１１】
可動である光学素子を含むレンズ装置と、該レンズ装置に対して着脱可能な操作装置とを含むレンズシステムであって、
前記操作装置が前記レンズ装置に取り付けられた状態で、前記光学素子の位置に応じた位置信号を検出する第１の検出手段と、
前記操作装置が前記レンズ装置に対して取り付けられた状態で、前記光学素子が基準位置に位置しているときの位置信号である基準位置信号を記憶する基準記憶手段と、
前記基準位置信号を記憶した後に、該操作装置が前記レンズ装置から取り外されたか否かを判断する判断手段と、
前記レンズシステムを、前記基準記憶手段によって前記基準位置信号を記憶する調整モードで動作させるように指示を送る場合と、前記基準位置信号を記憶しない通常モードで動作させるように指示を送る場合とを切り替える制御手段と、
を備えており、
前記制御手段は、前記判断手段が前記基準位置信号を記憶した後に前記操作装置が前記レンズ装置から取り外されたと判断した場合には、前記レンズシステムを前記調整モードで動作させる、
ことを特徴とするレンズシステム。
【請求項１２】
請求項１１に記載のレンズシステムと、該レンズシステムからの光を受光する撮像素子とを有することを特徴とする撮像装置。
【手続補正２】
【補正対象書類名】明細書
【補正対象項目名】発明の名称
【補正方法】変更
【補正の内容】
【発明の名称】操作装置、レンズ装置、レンズシステム及びそれを有する撮像装置
【手続補正３】
【補正対象書類名】明細書
【補正対象項目名】０００７
【補正方法】変更
【補正の内容】
【０００７】
上記目的を達成するために、本発明の操作装置は、可動である光学素子を含むレンズ装置に対して着脱可能な操作装置であって、前記操作装置が前記レンズ装置に取り付けられた状態で、前記光学素子の位置に応じた位置信号を検出する第１の検出手段と、前記操作装置が前記レンズ装置に対して取り付けられた状態で、前記光学素子が基準位置に位置しているときの位置信号である基準位置信号を記憶する基準記憶手段と、前記位置信号と前記基準位置信号から前記光学素子の位置を算出する算出手段と、前記基準位置信号を記憶した後に、該操作装置が前記レンズ装置から取り外されたか否かを判断する判断手段と、前記操作装置を、前記基準記憶手段によって前記基準位置信号を記憶する調整モードで動作させる場合と、前記基準位置信号を記憶しない通常モードで動作させる場合とを切り替える制御手段と、を備えており、前記制御手段は、前記判断手段が前記基準位置信号を記憶した後に前記レンズ装置から取り外されたと判断した場合には、前記操作装置を前記調整モードで動作させ、前記通常モードで動作するときに、前記算出手段を用いて前記光学素子の位置を算出する、ことを特徴とする。
【手続補正４】
【補正対象書類名】明細書
【補正対象項目名】００４９
【補正方法】変更
【補正の内容】
【００４９】
アクセサリＣＰＵ２１１で行うソフトウェア処理について説明する。図１２は実施例２におけるアクセサリＣＰＵ２１１で行う全体処理のフローチャートである。
Ｓ２０１〜Ｓ２１０は実施例１と同じため、説明は省略する。
【手続補正５】
【補正対象書類名】明細書
【補正対象項目名】００５１
【補正方法】変更
【補正の内容】
【００５１】
Ｓ２０６で動作モードが「調整警告モード」であった場合には、Ｓ２２２に進み、図１３の一例のように端調整が必要であることをユーザに通知し、簡易な操作（所定の操作）で端調整が行えるような表示を行う。Ｓ２２３でユーザ操作が実行されるまで待ち、端調整を実行するように操作された場合には、ＣＰＵ２１１（モード設定手段）は、動作モードを「調整モード」に設定する。一方、Ｓ２２３でユーザが端調整を行わないように操作した場合には、Ｓ２０８、Ｓ２０９に進み、ＣＰＵ２１１（モード設定手段）は、レンズユニット１に着脱フラグＯＦＦ要求を送信し、動作モードを「通常モード」に設定する。
【手続補正６】
【補正対象書類名】明細書
【補正対象項目名】００６２
【補正方法】変更
【補正の内容】
【００６２】
アクセサリＣＰＵ２１１で行うソフトウェア処理について説明する。図１５は実施例３におけるアクセサリＣＰＵ２１１で行う全体処理のフローチャートである。